(57)【要約】【課題】比較的簡単な構造にして安全に戸板を移動させ、簡易に扉の開閉を行うことのできる展示ケースの扉開閉装置を得る。【解決手段】展示ケース１００は、前面に開口部４を有する展示ケース本体１と、その開口部４に設けられた２枚のガラス板２、３と、２枚のガラス板２、３を前後方向に引戸式に開閉できる扉開閉装置５と、を備えている。扉開閉装置５は、下部基枠８上に設けられ、ガラス板２の左右方向移動手段としてのガイドレール３０と、ガラス板２の前後方向移動手段としてのボールネジ３５を有した作動部ボックス５０と、駆動手段としての正逆回転可能なモータ２８と、モータ２８の駆動用のスイッチ部及び制御装置を含む操作部６０と、を備えている。【選択図】図６
2018059372.tif 000002
【特許請求の範囲】
【請求項１】
ケース本体と、閉止位置において前記ケース本体の前面開口部を面一に閉止する位置に配設される透明剛体を主体として構成される複数の戸板と、を備え、相隣接する戸板の一方を前後何れかの方向に移動させた後、引き続き幅方向に移動させることによって、前記戸板を隣接する戸板に重合させて前記ケース本体の前面を開放し得るようにした展示ケースにおいて、
前記戸板の一方を幅方向に移動可能に載置可能なガイドレールと、
前記ガイドレールの下部と連結され、前記戸板の一方が載置された状態で前記ガイドレールを前後方向に移動可能に案内するボールネジ機構と、
前記ガイドレールの下部と連結され、前記ガイドレールを前記ボールネジ機構の動作に合わせて前後方向に案内可能に支持するガイド機構と、
をさらに備えていることを特徴とする展示ケースの扉開閉装置。
【請求項２】
前記ボールネジ機構を駆動可能な駆動部と、
前記駆動部への電源からの電力供給をオン・オフするスイッチ部と、
前記ボールネジ機構における前記ケース本体の前面側に取り付け可能であって、前記ボールネジ機構を手動で動作させることができるハンドル部と、
をさらに備えており、
前記スイッチ部がオン状態の場合、前記ハンドル部による操作ができないように前記ハンドル部をロックし、前記スイッチ部がオフ状態の場合又は停電状態で電力が前記スイッチ部に供給されていない場合、前記ロックが解除されて前記ハンドル部による操作ができるロック機構が設けられていることを特徴とする請求項１に記載の展示ケースの扉開閉装置。
【請求項３】
前記ボールネジ機構を駆動可能な駆動部と、
前記駆動部への電源からの電力供給をオン・オフするスイッチ部と、
前記戸板の一方が幅方向に移動したことを検知する検知部と、
をさらに備えており、
前記検知部は、前記戸板の一方が幅方向に移動したことを検知した際、前記スイッチ部をオフ状態にするオフ信号を出力可能なものであり、
前記スイッチ部は、前記オフ信号を受信した際、前記電源から前記駆動部への電力供給を遮断するものであることを特徴とする請求項１又は２に記載の展示ケースの扉開閉装置。
【請求項４】
前記ガイドレールと前記ボールネジ機構との間に、前記ガイドレールが前後方向に移動可能な状態で前記ボールネジ機構を保護する防塵部材が設けられていることを特徴とする請求項１〜３のいずれか１項に記載の展示ケースの扉開閉装置。
【請求項５】
前記ガイドレールと前記ガイド機構との間に、前記ガイドレールが前後方向に移動可能な状態で前記ガイド機構を保護する防塵部材が設けられていることを特徴とする請求項１〜４のいずれか１項に記載の展示ケースの扉開閉装置。
【発明の詳細な説明】
【技術分野】
【０００１】
本発明は、美術館、博物館等に設置される大型の展示ケースにおいて、ガラス板等の扉を開閉する装置に関するものである。
【背景技術】
【０００２】
従来、美術館、博物館等に設置される大型の展示ケースにおいて、展示ケース本体の前面開口部に設けられた複数枚の透明なガラス板を、扉として開閉できるように形成した展示ケースが知られている。このような展示ケースにおいては、展示物の鑑賞の支障になることがないようにするため、複数枚の透明なガラス板を同一面上に配設されており、展示物の搬入、搬出、点検等で展示ケース内部に入って作業を行う場合には、複数枚の透明なガラス板のうち少なくとも一枚を、引戸式に開閉できるようにする必要がある。
【０００３】
そこで、例えば特許文献１には、特定のガラス板を扉として開閉動作できるようにするため、当該ガラス板の位置を他のガラス板の位置より前方へ移動させた後に、その位置から左右方向に移動させて展示ケース本体の前面開口部を開放することができる展示ケースが開示されている。
【先行技術文献】
【特許文献】
【０００４】
【特許文献１】特開２０１１−６２２６０号公報
【発明の開示】
【発明が解決しようとする課題】
【０００５】
しかしながら、上記従来の展示ケースでは、開閉させるガラス板の位置を他のガラス板の位置より前方へ移動させるためには複雑な構造となり、高コスト化、メンテナンスの煩雑化をもたらすという問題がある。
【０００６】
そこで、本発明は、比較的簡単な構造にして安全にガラス板などの戸板を移動させ、簡易に扉の開閉を行うことのできる展示ケースの扉開閉装置を提供することを目的とする。
【課題を解決するための手段】
【０００７】
（１）  本発明の展示ケースの扉開閉装置は、ケース本体と、閉止位置において前記ケース本体の前面開口部を面一に閉止する位置に配設される透明剛体を主体として構成される複数の戸板と、を備え、相隣接する戸板の一方を前後何れかの方向に移動させた後、引き続き幅方向に移動させることによって、前記戸板を隣接する戸板に重合させて前記ケース本体の前面を開放し得るようにした展示ケースにおいて、前記戸板の一方を幅方向に移動可能に載置可能なガイドレールと、前記ガイドレールの下部と連結され、前記戸板の一方が載置された状態で前記ガイドレールを前後方向に移動可能に案内するボールネジ機構と、前記ガイドレールの下部と連結され、前記レールを前記ボールネジ機構の動作に合わせて前後方向に案内可能に支持するガイド機構と、をさらに備えていることを特徴とする。
【０００８】
上記（１）の構成によれば、容易且つ安全に戸板の一方が載置されたガイドレールを前後方向に移動させることができる。
【０００９】
（２）  上記（１）の展示ケースの扉開閉装置においては、前記ボールネジ機構を駆動可能な駆動部と、前記駆動部への電源からの電力供給をオン・オフするスイッチ部と、前記ボールネジ機構における前記ケース本体の前面側に取り付け可能であって、前記ボールネジ機構を手動で動作させることができるハンドル部と、をさらに備えており、前記スイッチ部がオン状態の場合、前記ハンドル部による操作ができないように前記ハンドル部をロックし、前記スイッチ部がオフ状態の場合又は停電状態で電力がスイッチ部に供給されていない場合、前記ロックが解除されて前記ハンドル部による操作ができるロック機構が設けられていることが好ましい。
【００１０】
上記（２）の構成によれば、スイッチ部がオフ状態の場合又は停電状態で電力がスイッチ部に供給されていない場合にのみ、ハンドル部を用いて手動でボールネジ機構を動作させることができる。
【００１１】
（３）  上記（１）又は（２）の展示ケースの扉開閉装置においては、前記ボールネジ機構を駆動可能な駆動部と、前記駆動部への電源からの電力供給をオン・オフするスイッチ部と、前記戸板の一方が幅方向に移動したことを検知する検知部と、をさらに備えており、前記検知部は、前記戸板の一方が幅方向に移動したことを検知した際、前記スイッチ部をオフ状態にするオフ信号を出力可能なものであり、前記スイッチ部は、前記オフ信号を受信した際、前記電源から前記駆動部への電力供給を遮断するものであることが好ましい。
【００１２】
上記（３）の構成によれば、戸板がガイドレール上において閉止位置から所定距離移動したことを検知し、電源からの電極供給を遮断できる。このときに、スイッチ部において操作があったとしても、駆動部は駆動せず、ガイドレールが移動しないようにすることができる。したがって、より安全性を向上できる。
【００１３】
（４）  上記（１）〜（３）の展示ケースの扉開閉装置においては、前記ガイドレールと前記ボールネジ機構との間に、前記ガイドレールが前後方向に移動可能な状態で前記ボールネジ機構を保護する防塵部材が設けられていることが好ましい。
【００１４】
上記（４）の構成によれば、ボールネジ機構を塵芥などから保護することができる。これにより、展示ケースのメンテナンス時期を防塵部材がないものに比べて長期化できるとともに、ボールネジ機構の損傷を防止することができる。
【００１５】
（５）  上記（１）〜（４）の展示ケースの扉開閉装置においては、前記ガイドレールと前記ガイド機構との間に、前記ガイドレールが前後方向に移動可能な状態で前記ガイド機構を保護する防塵部材が設けられていることが好ましい。
【００１６】
上記（５）の構成によれば、ガイド機構を塵芥などから保護することができる。これにより、展示ケースのメンテナンス時期を防塵部材がないものに比べて長期化できるとともに、ガイド機構の損傷を防止することができる。
【図面の簡単な説明】
【００１７】
【図１】本発明の第１実施形態における展示ケースを示す簡略正面図である。
【図２】図１の展示ケースを示す簡略縦断面図であって、図１のＡ−Ａ矢視断面図である。
【図３】図２の一部拡大縦断面図である。
【図４】図２の展示ケースにおけるガラス板上部の閉止状態を示す要部拡大縦断面図である。
【図５】（ａ）はハカマ部のハカマ部材を示す簡略正面図、（ｂ）はハカマ部の要部拡大正面図、（ｃ）は図５（ｂ）のＢ−Ｂ矢視断面図、（ｄ）は図５（ｂ）のＣ−Ｃ矢視断面図である。
【図６】図２の展示ケースにおける扉開閉装置を示す一部拡大縦断面図である。
【図７】（ａ）は作動部ボックス及びガイドレールを示す簡略平面図、（ｂ）は作動部ボックス、リニアガイド及びナットハウジングを示す簡略平面図である。
【図８】（ａ）はリニアガイド及びナットハウジングを示す要部拡大平面図、（ｂ）はリニアガイド及びナットハウジングを示す要部拡大正面図である。
【図９】図２の展示ケースにおける扉開閉装置のリニアガイドを示す要部拡大縦断面図である。
【図１０】図２の展示ケースにおけるガラス板下部の閉止状態を示す要部拡大縦断面図である。
【図１１】（ａ）はリミットスイッチを示す簡略正面図、（ｂ）はリミットスイッチを示す要部拡大平面図である。
【図１２】図１の展示ケースにおけるガラス板上部の開放状態を示す要部拡大縦断面図である。
【図１３】図１の展示ケースにおけるガラス板下部の開放状態を示す要部拡大縦断面図である。
【図１４】本発明の第２実施形態における扉開閉装置を示す要部拡大縦断面図である。
【発明を実施するための形態】
【００１８】
＜第１実施形態＞
以下、第１実施形態について、図１〜図９に基づいて説明する。なお、以下において、前後方向とは、展示ケース１００の前後方向、左右方向とは展示ケース１００の幅方向を指す。また、本実施形態においては、主にガラス板２の周囲部分に関して説明するが、ガラス板３の周囲部分もガラス板２の周囲部分とほぼ同様であるので、説明を省略することがある。
【００１９】
図１及び図２において、展示ケース１００は、前面に開口部４を有する展示ケース本体１と、その開口部４に設けられた２枚のガラス板２、３と、２枚のガラス板２、３を前後方向に引戸式に開閉できる扉開閉装置５と、を備えている。展示ケース本体１の外形は、大型の箱体であり、開口部４を２枚のガラス板２、３により気密状態で閉止可能であり、これら２枚のガラス板２、３を通して内部の展示空間６に収容した展示物を閲覧、観覧することができるようになっている。
【００２０】
図１及び図２の状態において、２枚のガラス板２、３は、展示ケース本体１の上部基枠７に設けられた上部支持機構９により同一面状に支持されている。また、展示ケース本体１の開口部４の上下部には、上部化粧パネル１１、下部化粧パネル１２（図２中では、点線で開いた状態も示している。一点鎖線は、先端部の軌道を示している。）が設けられており、両化粧パネル１１、１２は、展示ケース本体１に対して開閉自在又は着脱自在である。
【００２１】
図３及び図４に示すように、上部支持機構９は、下方へ解放した断面略コ字形のものであって左右方向に延設されたガラス板２の上部レール１３と、上部レール１３の奥行方向後方へ向けて設けられた補助レール１４と、上部レール１３内又は補助レール１４内において転動可能な転輪１５と、転輪１５の下部に垂設された吊り金具１６と、吊り金具１６の下部に設けられた固定金具１７と、を備え、この固定金具１７に一対のシム部材１８を介してガラス板２の上端両側部が挟持されるようになっている。ガラス板３も、ガラス板２の周囲と同様の各部位によって支持されている。
【００２２】
上部レール１３の後側立壁の一部には、補助レール１４から転輪１５が上部レール１３内に進入できるように、転輪１５の径よりもやや幅広い切り欠き部（図示せず）が設けられている。補助レール１４は、前部側及び下部側の壁面がないボックス状の部材を上部レール１３の後側立壁に溶接して設けられており、下部側が開口している。したがって、上部レール１３の上記切り欠き部（図示せず）を介して、上部レール１３と補助レール１４との間を転輪１５が前後方向に移動可能となっており、開口部４の閉止時には、図３及び図４に示すように、転輪１５は補助レール１４内に位置し、開口部４の開口時には、図１２に示したように、上部レール１３内に位置することができるようになっている。ガラス板３も同様に転輪１５と同様の転輪によって上部レール１３と同様の上部レール４８内、又は、補助レール１４と同様の補助レール４９内において転動可能に支持されているとともに、上部レール１３の上記切り欠き部（図示せず）と同様の上部レール４８における切り欠き部（図示せず）を介して上部レール４８と補助レール４９との間を移動可能となっている。
【００２３】
また、図４に示したように、上部基枠７には、ガラス板２、３を固定するためのマグネットキャッチ１９、フラップ扉２０、オープンキャッチ部２３が設けられている。マグネットキャッチ１９は、固定金具１７を磁力によって吸着できるようになっている。フラップ扉２０は、上部基枠７の前方側の部位７ａの下端部において丁番２１を介して回動可能に支持され（動作は図２参照）、閉鎖時には、先端部に設けられた緩衝部材２２がガラス板２の上部表面に圧接するようになっている。また、フラップ扉２０は、上方に向けて下方から押すと、オープンキャッチ部２３の下部が押されたことによって発生するオープンキャッチ部２３内のバネ（図示せず）の反動力で開くプッシュオープン式の扉になっている。
【００２４】
また、図２及び図６に示したように、ガラス板２の下部には、ガラス板２を支持する下部支持機構１０と、下部支持機構１０を後述する作動部ボックス５０を介して支持する下部基枠８と、が設けられている。下部支持機構１０は、ガラス板２の下部の全幅に亘り設けられた金属製のハカマ部２４を含んでいる。ハカマ部２４は、図５（ａ）〜（ｄ）に示すように、断面が略Ｈ字形に形成され、スリット２５ａを有した一対の支持板２５と、スリット２５ａにおいて回転可能に軸支される略水平な支軸２６ａを中心に有した戸車２６と、支持板２５の両端部において略鉛直方向に回転可能に軸支される支軸２７ａを有したガイドローラ２７と、を備えている。また、ハカマ部２４の上部では、一対の支持板２５の間にガラス板２の下部を受けて支持し、ハカマ部２４の下部では、一対の支持板２５の間に設けられた戸車２６及びガイドローラ２７を転動可能に軸支している。戸車２６及びガイドローラ２７により、後述するガラス板２のガイドレール３０内で転動することにより、ガラス板２が左右方向に移動可能となっている。また、ハカマ部２４は、下部化粧パネル１２が開放された後、後述する扉開閉装置５によって、前後方向に移動可能となっている。
【００２５】
下部基枠８には、ハカマ部２４を介してガラス板２を固定するための下部化粧パネル１２が設けられている。下部化粧パネル１２は、側面視逆Ｌ字形の部材であり、下端が丁番３１を介して下部基枠８に回動可能に支持され、上端に内側へ屈曲して延設された当止部３９を有している。この当止部３９の内側端部に設けられた緩衝部材３２が、ガラス板２の下部表面に圧接された状態において、下部化粧パネル１２に設けられた施錠具５１を下部基枠８に係止することにより、閉止状態を維持できるようになっている。また、下部化粧パネル１２は、ハカマ部２４及び扉開閉装置５を前方から隠蔽し得る位置に配設されている。
【００２６】
図６に示すように、扉開閉装置５は、下部基枠８上に設けられ、ガラス板２の左右方向移動手段としてのガイドレール３０と、ガラス板２の前後方向移動手段としてのボールネジ３５を有した作動部ボックス５０と、駆動手段としての正逆回転可能なモータ２８と、モータ２８の駆動用のスイッチ部及び制御装置（ＣＰＵ、メモリ、プログラムを格納した記憶部などを有した装置）を含む操作部６０と、を備えている。なお、作動部ボックス５０の内部には、図７（ｂ）に示したように、一対のリニアガイド３３も設けられている。
【００２７】
図７（ａ）に示すように、ガイドレール３０は、前後列の２列が並べられてなる可動ガイドレール３０ａと、前後列の２列が並べられてなる一対の固定ガイドレール３０ｂと、を備えている。図８（ａ）左側に示すように、可動ガイドレール３０ａは、ボルト４３によって一対のリニアガイド３３のそれぞれに連結されているとともに、ボルト４４によってナットハウジング３４に連結されている。なお、ガラス板３のガイドレール４０は、可動ガイドレール３０ａと同様の可動ガイドレールと、固定ガイドレール３０ｂと同様の固定ガイドレールと、を備えている。
【００２８】
また、図７（ｂ）に示したように、一対のリニアガイド３３は、ボールネジ３５を略中心として作動部ボックス５０の左右に配設されている。また、一対のリニアガイド３３は、図８（ｂ）左側及び図９に示したように、展示ケース本体１の開口部４の底面部において前後方向に敷設した下部レール３６上に固設されている。そして、一対のリニアガイド３３上には、前後方向にスライド可能に移動体３７が設けられており、この移動体３７の上にボルト４３等で可動ガイドレール３０ａが連結されている。なお、一対のリニアガイド３３及びナットハウジング３４の上部には、図７（ａ）、図９、図１０に示したように、略中央の一部において前後方向にスリットが入った蓋５３、５４（防塵部材）が設けられている。これにより、ガラス板２の前後移動時に、作動部ボックス５０内にナットハウジング３４とガイドレール３０との間の連結部付近から埃等の塵芥が入り込まないようにすることができ、メンテナンス時期を蓋５３、５４がないものに比べて長期化できるとともに、扉開閉装置５の損傷を防止することができる。なお、図７（ａ）、図９、図１０以外の図面においては、蓋５３、５４を図示していない場合もあるが、説明の便宜上のためである。
【００２９】
図８（ａ）右側、図８（ｂ）右側、図１０に示したように、ボールネジ３５は、可動ガイドレール３０ａの略中央下部に連結され、内部に雌ネジ部が形成されているナットハウジング３４と、ナットハウジング３４の雌ネジ部に螺入自在な雄ネジ部が表面に形成されているネジ軸４１と、を備えている。ネジ軸４１は、下部基枠８上に設けられた作動部ボックス５０に前後一対のネジ軸支持部材３８の軸受けを介して回転可能に支持されている。また、ナットハウジング３４は、作動部ボックス５０の中央に配設され、２つのネジ軸支持部材３８の間を移動するようにネジ軸４１に取り付けられている。これにより、ネジ軸４１が回転するとナットハウジング３４が前後運動をし、このナットハウジング３４にボルト４４等で可動ガイドレール３０ａを連結することにより、可動ガイドレール３０ａが前後移動するようになっている。
【００３０】
また、図６に示したように、ボールネジ３５のネジ軸４１の後端部には、ベベルギヤボックス等の伝達部４２の一端部が接続されており、伝達部４２の他端部には、ネジ軸４１を伝達部４２を介して駆動回転させることが可能なモータ２８が接続されている。モータ２８は、駆動制御する操作部６０の制御装置と配線ケーブル４５を介して接続され、該制御装置による制御によってモータ２８が作動するようになっている。操作部６０は、下部基枠８の前面に設けられ、操作部６０の開ボタン及び閉ボタンを操作することによってガラス板２、３の前後移動を行うことができるようになっている。
【００３１】
また、図１１（ａ）に示すように、展示ケース本体１の開口部４の幅方向左側の内側には、ハカマ部２４が移動したことを検出可能なリミットスイッチ４６が、ハカマ部２４の左端部に当接するように設けられている。なお、図示しないが、展示ケース本体１の開口部４の幅方向右側の内側にも、同様のリミットスイッチが設けられている。リミットスイッチ４６は、ハカマ部２４側に付勢力が働くように構成された板バネ部４７ａと、板バネ部４７ａ先端部に回転自在に設けられ、ハカマ部２４の端部と接触可能なローラ４７ｂと、を有したアクチュエータ４７と、板バネ部４７ａのハカマ部２４側と反対側の面に接触可能なスイッチ部４６ａと、を備えている。また、リミットスイッチ４６は、操作部６０の制御装置に接続されており、ハカマ部２４が移動したことを検出した場合には、モータ２８が駆動されないように、電源とモータ２８との電気的接続を遮断するようになっている。具体的には、図１１（ａ）、（ｂ）に示したように、ハカマ部２４の端部がローラ４７ｂを押し、板バネ部４７ａを介してスイッチ部４６ａを押圧している状態では、ハカマ部２４が移動したことを検出していない状態である。そして、図１１（ａ）、（ｂ）の状態から、ハカマ部２４がローラ４７ｂから離れて、スイッチ部４６ａへの板バネ部４７ａの押圧力が解放された場合、スイッチ部４６ａの信号により、制御装置は、電源とモータ２８との電気的接続を遮断する。モータ２８を停止又は駆動不能にさせる。つまり、可動ガイドレール３０ａ、４０ａ上をガラス板２、３のそれぞれが左右に移動し始めると、制御装置によりモータ２８が駆動不能となり、可動ガイドレール３０ａ、４０ａ及びガラス板２、３は、前後方向に移動不可能となる。
【００３２】
次に、本実施形態におけるガラス板２の開閉動作について説明する。ガラス板３の開閉については、ガラス板２の開閉動作と同様であるため、説明を省略する。
【００３３】
まず、図２、図４及び図１０に示すように、ガラス板２とガラス板３とが面一に連続する閉止位置から、フラップ扉２０及び下部化粧パネル１２を開け、ガラス板２下部の操作部６０の開ボタンを押すことによりモータ２８を駆動させ、ネジ軸４１を所定方向（例えば時計方向）に回転させる。これにより、ナットハウジング３４が前方へ移動するとともにリニアガイド３３の移動体３７が下部レール３６上を前方へ移動し、可動ガイドレール３０ａに戸車２６及びガイドローラ２７が載置された状態で、ガラス板２及びが可動ガイドレール３０ａと一体になって前方へ移動する。そして、ガラス板２、ハカマ部２４及び可動ガイドレール３０ａが前側の移動終端位置まで移動すると、モータ２８は停止し可動ガイドレール３０ａの後列が隣接する固定ガイドレール３０ｂの前列に合致する。続いて、吸着ハンドル等をガラス板２に取り付け、前方へ引き出すことで、図１２及び図１３に示した状態になる。ここで、図１２は、ガラス板３の右端部側から見た縦断面図であって、ガラス板３及びガラス板３の周囲部分も図示している。また、図１３は、ガラス板３の右端部側から見た縦断面図であって、ガラス板３の下部に設けられた可動ガイドレール４０ａを示しており、可動ガイドレール４０ａの前列と可動ガイドレール３０ａの後列とが一列に重なっている様子を示している。
【００３４】
その後、ガラス板２をガラス板３側に引けば、可動ガイドレール３０ａに載っていた戸車２６及びガイドローラ２７は、ガラス板２の可動ガイドレール３０ａから固定ガイドレール３０ｂに沿って転動し、さらに、ガラス板２の固定ガイドレール３０ｂからガラス板３の固定ガイドレール（図示せず）、可動ガイドレール４０ａを通って、ガラス板２がガラス板３の前面に略合致する位置にまで移動する。また、このとき、ガラス板２上部の転輪１５も連動して、ガラス板２の上部レール１３からガラス板３の上部レール４８に沿って転動する。よって、ガラス板２が配設されていた部分に対応する展示ケース本体１の前面の開口部４が開放された状態になる。
【００３５】
次に、開放状態のガラス板２を閉じる場合には、上記と逆の操作を行ってガラス板２を元の前方位置まで移動させ、操作部６０の閉ボタンを押すことによりネジ軸４１を開放作業時と逆方向（例えば反時計方向）に回転させることによって、ナットハウジング３４が後方へ移動するとともにリニアガイド３３の移動体３７が下部レール３６上を後方へ移動し、可動ガイドレール３０ａに戸車２６及びガイドローラ２７が載置された状態で、ガラス板２が可動ガイドレール３０ａと一体になって後方へ移動し、後側移動終端の後方位置まで移動する。このとき、吸着ハンドル等でガラス板２上部の転輪１５も、上部レール１３から補助レール１４へと移動させ、固定金具１７を上部基枠７のマグネットキャッチ１９に吸着させる。そして、フラップ扉２０及び下部化粧パネル１２を閉じると、それぞれの緩衝部材２２、３２でガラス板２の上下部表面を当止して、閉止位置に戻るようになる。
【００３６】
以上のように、本実施形態１における展示ケース１００では、容易且つ安全に、ガラス板２が載置されたガイドレール３０、又は、ガラス板３が載置されたガイドレール４０を、前後方向に電動で移動させることができる。
【００３７】
また、蓋５３、５４によって、ボールネジ３５及びリニアガイド３３と、ボールネジ３５及びリニアガイド３３の周囲の部品を塵芥などから保護することができる。これにより、展示ケース１００のメンテナンス時期を蓋５３、５４がないものに比べて長期化できるとともに、扉開閉装置５の損傷を防止することができる。
【００３８】
さらに、リミットスイッチ４６によって、ガラス板２、３がガイドレール３０、４０上において閉止位置（図１に示した幅方向の位置）から所定距離移動したことを検知することができる。このときの検知信号を制御装置に送信することで、制御装置がモータ２８への電源からの電極供給を遮断できる。このときに、操作部６０において操作があったとしても、モータ２８は駆動せず、ガイドレール３０、４０が移動しないようにすることができる。したがって、より安全性を向上できる。
【００３９】
＜第２実施形態＞
次に、本発明の第２実施形態における扉開閉装置１０５を含む展示ケースについて説明する。なお、第１実施形態と同様の部分の説明は省略することがある。また、本実施形態においては、主にガラス板１０２の周囲部分に関して説明するが、ガラス板１０３の周囲部分もガラス板１０２の周囲部分とほぼ同様であるので、説明を省略することがある。また、本実施形態において、第１実施形態の符号と下二桁が同じ符号の部位は、同様の部位である。
【００４０】
図１４は、第２実施形態における扉開閉装置１０５を示す要部拡大縦断面図である。以下、図１４を参照して、第２実施形態における扉開閉装置１０５の手動駆動手段について説明する。なお、扉開閉装置５の電源がオフ状態の場合、又は、停電等により扉開閉装置５の電源が入らず駆動手段としてのモータ２８を使用できない場合にのみ、手動駆動手段により扉開閉装置１０５を作動させることができるようになっている。つまり、安全面を考慮して扉開閉装置５へ電源から電力が供給されている限り、ボールネジ１３５を手動では動作できないようにロック機構によってロックされ、手動駆動手段を用いることはできないようになっている。なお、ロック機構の例としては、扉開閉装置５へ電源から電力が供給されている状態において、操作ハンドル１５２が操作部１６０の先端に取り付けられた場合に検知して、検知信号を受けた制御装置の命令によって、ナットハウジング１３４の前後にストッパーが飛び出してロックがかかり、操作ハンドル１５２が操作部１６０の先端から取り外され検知されなくなった場合にストッパーが外れロックが解除されるようなインターロック機構（図示せず）など、様々なものが考えられる。しかしながら、該インターロック機構に限られず、扉開閉装置５の電源がオフ状態の場合、又は、停電等により扉開閉装置５の電源が入らず駆動手段としてのモータ２８を使用できない場合以外、手動でボールネジ１３５を作動させることができないように制御できるものであればどのような構成であってもよい。
【００４１】
図１４に示すように、第２実施形態における扉開閉装置１０５は、下部基枠１０８上に設けられ、ガラス板１０２、１０３の左右方向移動手段としてのガイドレール１３０、１４０と、ガラス板１０２、１０３の前後方向移動手段としての作動部ボックス１５０と、操作部１６０とから構成されている。作動部ボックス１５０は、リニアガイド１３３と、ナットハウジング１３４と、ボールネジ１３５とを備えている。
【００４２】
ガラス板１０２のガイドレール１３０は、可動ガイドレール１３０ａと、第１実施形態の固定ガイドレール３０ｂと同様の固定ガイドレール（図示せず）とを有し、作動部ボックス１５０上に、左右方向にそれぞれ２本延設されている。可動ガイドレール１３０ａは、ボルト１４３、１４４でリニアガイド１３３及びナットハウジング１３４に連結されている。ガラス板１０３のガイドレール１４０も同様に可動ガイドレール１４０ａと、固定ガイドレール１４０ｂとから構成されている。リニアガイド１３３は、作動部ボックス１５０の左右に配設され、展示ケース本体１０１の開口部１０４の底面部に前後方向に敷設した下部レール１３６上に移動体１３７を前後移動可能に設けたものであり、移動体１３７の上にボルト１４３等で可動ガイドレール１３０ａが連結されている。
【００４３】
ボールネジ１３５は、ネジ軸１４１と、ナットハウジング１３４とを有し、ネジ軸１４１は、下部基枠１０８上に設けられた作動部ボックス１５０に前後一対のネジ軸支持部材１３８の軸受けを介して回転可能に支持されている。また、ナットハウジング１３４は、作動部ボックス１５０の内部に配設され、２つのネジ軸支持部材１３８の間を移動するようにネジ軸１４１に取り付けられている。これにより、ネジ軸１４１が回転するとナットハウジング１３４が前後運動かのうとなっている。また、このナットハウジング１３４にボルト１４４等で可動ガイドレール１３０ａを連結することにより、可動ガイドレール１３０ａがナットハウジング１３４の移動と連動して前後移動可能となっている。操作部１６０は、ネジ軸１４１に一体的に接続された操作軸１５１を有し、操作軸１５１の前端部は作動部ボックス１５０の前面から突出している。そして、下部化粧パネル１１２が開放された際には、操作ハンドル１５２を操作軸１５１の前端部に取り付けることができるようになっている。
【００４４】
次に、手動にてガラス板１０２を前後移動させる際の動作について説明する。前述したとおり、ボールネジ１３５がロックされていないことが前提となるので、まず、扉開閉装置５の電源がオフ状態の場合、又は、停電等により扉開閉装置５の電源が入らず駆動手段としてのモータ２８を使用できない場合であることを確認する。そして、ボールネジ１３５がロックされていないことを確認した後、ガラス板１０２とガラス板１０３とが面一に連続する閉止位置から、第１実施形態と同様のフラップ扉（図示せず）及び下部化粧パネル１１２を開け、操作部１６０が現れるようにし、操作ハンドル１５２を操作軸１５１に差し込んで所定方向（例えば時計方向）に回すことによって、ネジ軸１４１を回転させる。これにより、ナットハウジング１３４が前方へ移動するとともに、第１実施形態と同様のリニアガイド（図示せず）の移動体（図示せず）が第１実施形態と同様の下部レール上を前方へ移動し、可動ガイドレール１３０ａに戸車１２６及び第１実施形態と同様のガイドローラが載置された状態で、ガラス板１０２及びハカマ部１２４が可動ガイドレール１３０ａと一体になって前方へ移動するようになる。
【００４５】
このとき、ガラス板１０２及び可動ガイドレール１３０ａが前側移動終端の前方位置まで移動すると、可動ガイドレール１３０ａの後列の端部が隣接する固定ガイドレール１３０ｂの前列の端部に合致するようになる。そして、続いて、吸着ハンドル等をガラス板１０２に取り付け、前方へ引き出し、ガラス板１０３側の第１実施形態と同様のガイドレールに移動させることで、第１実施形態と同様、開口部４を開放状態とすることができる。
【００４６】
一方、開放状態の開口部４をガラス板１０２で閉じる場合には、上記と逆の操作を行ってガラス板１０２を元の前方位置まで移動させ、吸着ハンドル等で第１実施形態と同様、後方へ押し付け、マグネットキャッチに上部を当接する。その後、操作ハンドル１５２を操作軸１５１に差し込んで開放作業時と逆方向（例えば反時計方向）に回すことによって、ネジ軸１４１を回転させ、ナットハウジング１３４を後方へ移動させて、第１実施形態と同様の下部レール上において第１実施形態と同様のリニアガイドの移動体を後方へ移動させる。これにより、可動ガイドレール１３０ａに戸車１２６及び第１実施形態と同様のガイドローラが載置された状態で、ガラス板１０２及びハカマ部１２４が可動ガイドレール１３０ａと一体になって後方へ移動する。
【００４７】
このとき、ガラス板１０２上部に設けている第１実施形態と同様の固定金具が第１実施形態と同様の上部基枠のマグネットキャッチに吸着されるようになる。そして、フラップ扉１２０及び下部化粧パネル１１２を閉じると、それぞれの緩衝部材１２２、１３２でガラス板１０２の上下部表面を当止して、閉止位置に戻るようになる。
【００４８】
以上において説明した本実施形態における扉開閉装置１０５を備えた展示ケース２００とした場合にも、第１実施形態において説明した効果と同様の効果を得ることができる。さらに、停電時でもガラス板１０２、１０３を容易に開閉できるようになっている。
【００４９】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。例えば、扉開閉装置５の駆動手段として、手動駆動手段のみを用いた構成に代えてもよい。
【００５０】
また、第１及び第２実施形態において、一方のガラス板下部のボールネジが動作中又はガイドレールが前方にある場合は、他方のガラス板のボールネジが動作しないように、制御装置によって制御することとしてもよい。
【００５１】
また、上述したリミットスイッチは、接触方式による検知装置であったが、非接触方式の検知装置（例えば、赤外線センサなど）でもよい。
【００５２】
また、第１及び第２実施形態においては、ガラス板の下部をボールネジ、ガイドレール、リニアガイドなどによって移動させるものであったが、ガラス板の上部に同様のボールネジ、ガイドレール、リニアガイドを設けて、全自動で、ガラス板を前後方向に移動させることができる構成としてもよい。
【符号の説明】
【００５３】
１、１０１    展示ケース本体
２、３、１０２、１０３    ガラス板
４、１０４    開口部
５、１０５    扉開閉装置
６    展示空間
７    上部基枠
８、１０８    下部基枠
９    上部支持機構
１０    下部支持機構
１１    上部化粧パネル
１２、１１２    下部化粧パネル
１３、４８    上部レール
１４、４９    補助レール
１５    転輪
１６    吊り金具
１７    固定金具
１８    シム部材
１９    マグネットキャッチ
２０、１２０    フラップ扉
２１、３１    丁番
１２２、２２    緩衝部材
２３    オープンキャッチ部
２４、１２４    ハカマ部
２５    支持板
２５ａ    スリット
２６、１２６    戸車
２６ａ、２７ａ    支軸
２７    ガイドローラ
２８      モータ
３０、４０、１３０、１４０    ガイドレール
３０ａ、４０ａ、１３０ａ、１４０ａ、１４０ｂ    可動ガイドレール
３０ｂ、１３０ｂ    固定ガイドレール
３２、１３２    緩衝部材
３３、１３３    リニアガイド
３４、１３４    ナットハウジング
３５、１３５    ボールネジ
３６、１３６    下部レール
３７、１３７    移動体
３８、１３８    ネジ軸支持部材
３９    当止部
４１、１４１    ネジ軸
４２    伝達部
４３、４４、１４３、１４４    ボルト
４５    配線ケーブル
４６    リミットスイッチ
４６ａ    スイッチ部
４７    アクチュエータ
４７ａ    板バネ部
４７ｂ    ローラ
５０、１５０    作動部ボックス
５１    施錠具
５３、５４    蓋
６０、１６０    操作部
１００、２００    展示ケース
１５１    操作軸
１５２    操作ハンドル
【図１】
2018059372.tif 000003
【図２】
2018059372.tif 000004
【図３】
2018059372.tif 000005
【図４】
2018059372.tif 000006
【図５】
2018059372.tif 000007
【図６】
2018059372.tif 000008
【図７】
2018059372.tif 000009
【図８】
2018059372.tif 000010
【図９】
2018059372.tif 000011
【図１０】
2018059372.tif 000012
【図１１】
2018059372.tif 000013
【図１２】
2018059372.tif 000014
【図１３】
2018059372.tif 000015
【図１４】
2018059372.tif 000016